(57)【特許請求の範囲】
【請求項１】
シェービング器具であって、
ハンドルを備え、
剃り面を画定するレーザ・カートリッジを備え、
前記ハンドルに連結されたシェービング補助ボディを備え、前記シェービング補助ボディは上面を有し、前記シェービング補助ボディの少なくとも一部分は前記レーザ・カートリッジに隣接しており、
前記レーザ・カートリッジ及び前記シェービング補助ボディに取り付けられたセルフ・レベリング手段を備え、前記セルフ・レベリング手段は、シェービング動作中に前記シェービング補助ボディの上面が前記剃り面との同一平面関係に留まることを可能にしており、
前記シェービング補助ボディ及び前記ハンドルに取り付けられたピボット手段を備え、
前記ピボット手段は、前記レーザ・カートリッジ及び前記シェービング補助ボディを一緒に前記ハンドルに対してピボット運動可能にしており、
前記ピボット手段は、差込み部品を含み、前記差込み部品は、ベースと該ベースから延びるタブを含み、前記タブは、前記差込み部品が、ニュートラル位置と該ニュートラル位置の後方の回転位置との間でピボット運動可能であるように、前記ハンドルにピボット運動可能に接続されていることを特徴とする、シェービング器具。
【請求項２】
前記差込み部品を前記ニュートラル位置へ向けて促すように動作する付勢部材をさらに備えることを特徴とする、請求項１に記載のシェービング器具。
【請求項３】
前記付勢部材は、カンチレバー型スプリングであることを特徴とする、請求項２に記載のシェービング器具。
【請求項４】
前記回転位置は、前記ニュートラル位置の約１０度後方にあることを特徴とする、請求項１に記載のシェービング器具。
【請求項５】
前記シェービング補助ボディは、磨滅可能な固体であることを特徴とする、請求項１に記載のシェービング器具。
【請求項６】
シェービング器具であって、
ハンドルを備え、
差込み部品を含むヘッドを備え、前記差込み部品は、実質的に中央に位置する開口部を有するベースと、前記ベースに取り付けられた接続部材と、前記ベースに取り付けられた付勢部材とを含んでおり、
前記差込み部品上に取り付けられたシェービング補助ボディを備え、
前記開口部内に収容されたレーザ・カートリッジを備え、前記レーザ・カートリッジは内部に取り付けられた少なくとも１つのレーザ・ブレードを有しており、
前記差込み部品及び前記レーザ・カートリッジに取り付けられて、シェービング動作中に前記シェービング補助ボディの上面が変化するときに、前記シェービング補助ボディの上面を前記レーザ・カートリッジによって画定される剃り面と同一平面上に保持するセルフ・レベリング手段を備え、
前記接続部材は、差込み部品を固定点にピボット運動可能なように接続し、それによりその固定点の回りで、前記差込み部品、前記シェービング補助ボディ及び前記レーザ・カートリッジが、ニュートラル位置と回転位置の間で一緒にピボット運動可能となっており、
前記付勢部材は、前記差込み部品がピボット運動可能なように前記ハンドルに接続されるとき、前記差込み部品を前記ニュートラル位置の方向に促すように動作可能であることを特徴とする、シェービング器具。
【請求項７】
前記接続部材は、前記固定点上の相補型係合要素を受け取るように構成されたタブを含み、前記相補型係合要素と前記タブとの係合が、前記差込み部品のピボット運動の軸を定めることを特徴とする、請求項６に記載のシェービング器具。
【請求項８】
前記差込み部品がピボット運動する前記固定点は、前記ハンドル上にあることを特徴とする、請求項６に記載のシェービング器具。
【請求項９】
前記付勢部材は、前記ベースから延びるカンチレバー型スプリングであることを特徴とする、請求項６に記載のシェービング器具。
【請求項１０】
前記ベースは、該ベースを取り付けるための、前記ベースから延びる１つ又はそれ以上の取り付けピンを含むことを特徴とする、請求項６に記載のシェービング器具。
【請求項１１】
前記シェービング補助ボディは、磨滅可能な固体材料であることを特徴とする、請求項６に記載のシェービング器具。
【請求項１２】
前記シェービング補助ボディは、それからシェービング補助物質が滲出される非磨滅性の発泡材であることを特徴とする、請求項６に記載のシェービング器具。
【請求項１３】
毛をシェービングするレーザであって、
ハンドルを備え、
ニュートラル位置と回転位置の間で運動可能なように前記ハンドルにピボット運動可能に取り付けられたレーザ・ヘッドを備え、前記レーザ・ヘッドは、皮膚接触面を有するシェービング補助ボディと、前記シェービング補助ボディに隣接するレーザ・カートリッジとを含み、前記レーザ・カートリッジは、剃り面を画定しており、
シェービング動作中に前記シェービング補助ボディの皮膚接触面が変化するときに前記シェービング補助ボディの皮膚接触面を前記剃り面と同一平面関係に維持するように動作可能なセルフ・レベリング機構を備え、
前記レーザ・ヘッドは、前記ハンドル内に挿入されたベースを含み、前記シェービング補助ボディ及び前記レーザ・カートリッジは、前記ベースに協働可能に取り付けられており、
前記ベースは、該ベースから延びるタブを含み、前記タブは、前記レーザ・ヘッドのピボット運動を引き起こすように前記ハンドルに協働可能に取り付けられていることを特徴とする、レーザ。
【請求項１４】
前記レーザ・ヘッドを前記回転位置から前記ニュートラル位置へ向けて促すように前記レーザ・ヘッドと動作可能に係合可能な付勢部材をさらに備えることを特徴とする、請求項１３に記載のレーザ。
【請求項１５】
前記付勢部材は、カンチレバー型スプリングを含むことを特徴とする、請求項１４に記載のレーザ。
【請求項１６】
前記ベースに取り付けられた付勢部材をさらに備え、前記付勢部材は、前記レーザ・ヘッドを前記回転位置から前記ニュートラル位置へ向けて促すように構成されていることを特徴とする、請求項１３に記載のレーザ。
【請求項１７】
前記付勢部材は、カンチレバー型スプリングを含むことを特徴とする、請求項１６に記載のレーザ。
【請求項１８】
前記回転位置は、前記ニュートラル位置から約１０度だけ回転した位置にあることを特徴とする、請求項１３に記載のレーザ。
【請求項１９】
前記シェービング補助ボディは、磨滅可能な石鹸材料であることを特徴とする、請求項１３に記載のレーザ。
【請求項２０】
前記セルフ・レベリング機構は、前記シェービング補助ボディ及び前記レーザ・カートリッジに作動可能なように接続された協力連動装置であって、前記協力連動装置のハサミ動作が、前記シェービング補助ボディの皮膚接触面を前記剃り面との前記同一平面関係に維持することを特徴とする、請求項１９に記載のレーザ。
【発明の詳細な説明】
【技術分野】
【０００１】
本発明は一般にシェービング器具に関し、より具体的には剃られる面との接触を維持するための改善された機能を有するシェービング器具に関する。
（関連出願の相互参照）
本出願は、２００５年７月１１日に出願された米国特許仮出願第６０／６９８，５３２号に基づく優先権を主張するものである。
【背景技術】
【０００２】
シェービング器具は普通、ハンドルに取り付けられたレーザ・カートリッジを含む。そのカートリッジは前面の後部及び後面の前部に位置する１つ又はそれ以上のレーザ・ブレードを含む。シェービング器具が皮膚上を移動する際に皮膚を伸ばすように、ガードが前面に取り付けられるか又は一体化され、毛をカットにそなえて実質的に直立させる。キャップもまた後面に取り付けられるか又は一体化される。ガード及びキャップ及びレーザ・ブレードの刃先の皮膚接触面は、概ね実質的に剃り面を画定するように位置調整される。レーザ・カートリッジは移動可能なようにハンドルに取り付けて、シェービング動作中にレーザ・ブレードに広い移動範囲を可能にすることができる。シェービング動作を見込んで、毛を柔らかくし、皮膚の状態を整え、潤滑にするなどのためにシェービング補助物質が塗られることが多い。
【０００３】
幾つかのシェービング器具においては、石鹸タイプのシェービング補助物質を含むシェービング補助ボディを、レーザ・カートリッジ及びレーザ・ブレードを完全に取り囲むように配置することができて、ユーザーがシェービング作業中にシェービング補助物質を塗ることを可能にするものがある。しかしながら、石鹸タイプのシェービング補助物質は使用するうちに磨滅するため、殆どのこのタイプのシェービング器具は、シェービング補助ボディの上面とレーザ・カートリッジの剃り面とを使用中に実質的に同一平面上に保持してデバイスに適切な耐用年数をもたらすセルフ・レベリング機構を含む。
【０００４】
セルフ・レベリング機構を利用するシェービング器具においては、シェービング動作中、シェービング補助ボディとレーザ・カートリッジは相互に規則正しく動き、シェービング補助ボディとレーザ・カートリッジは同一平面上に留まる。同一平面上に留まることによって、シェービング補助ボディとレーザ・ブレードの両方は、通常のシェービング中に同時に皮膚に接触する。いくつかの実施形態では、シェービング補助ボディに対するレーザ・カートリッジのピボット運動も可能である。
【発明の概要】
【発明が解決しようとする課題】
【０００５】
上記のいずれのシェービング器具においても、レーザ・カートリッジの制限されたピボット運動又は非ピボット運動の性質により、特にユーザーが器具を表面の比較的鋭く画定された輪郭上（例えば脛骨により画定される縁部上又はその周辺の皮膚のひだの上など）を動かす際に、レーザ・ブレードが剃られる面との接触を失うことがある。これらの場合には最善とは言いがたいシェービングがもたらされる可能性があり、ユーザーは一つの場所を数回剃る必要が生じる。レーザ・ブレードが同じ表面に多数回接触及び再接触することにより、皮膚、特に敏感な場所の皮膚が刺激されるので剃られる人に痛みを与える可能性がある。
【０００６】
前述に基づくと、レーザ・ブレード及びシェービング補助ボディに、剃ることが難しい輪郭上の剃られる面との接触を維持させることができるシェービング器具が必要である。
【課題を解決するための手段】
【０００７】
一つの態様において、本発明は、ハンドル、レーザ・カートリッジ、レーザ・カートリッジ及びシェービング補助ボディに作動可能なように結合するセルフ・レベリング機構、並びに、シェービング補助ボディ及びハンドルに作動可能なように結合し、ハンドルに対してレーザ・カートリッジ及びシェービング補助ボティの一緒のピボット運動を可能にするピボット機構、を有するシェービング器具に存在する。シェービング補助ボディは上面を持ち、シェービング補助ボディの少なくとも一部分はレーザ・カートリッジに隣接する。セルフ・レベリング機構は、シェービング中にシェービング補助ボディの上面が剃り面と同一平面上に留まることを可能にする。
【０００８】
第二の態様においては、本発明はシェービング器具のヘッドに存在する。ヘッドは、差込み部品、その上に取り付けられるシェービング補助ボディ、及び差込み部品の開口部を通して収容されるレーザ・カートリッジを有する。差込み部品は、開口部が実質的に中央に位置するベース、ベースに取り付けられた接続部材、及びベースに取り付けられた付勢部材を含む。レーザ・カートリッジは内部に取り付けられた少なくとも１つのレーザ・ブレードを有する。ピボット接続部材は、その回りで差込み部品、シェービング補助ボディ、及びレーザ・カートリッジがニュートラル位置と回転位置の間で一緒のピボット運動が可能である固定点に、差込み部品をピボット運動可能なように接続する。付勢部材は、差込み部品がピボット運動可能なようにハンドルに接続されるとき、差込み部品をニュートラル位置の方向に付勢する。
【０００９】
第三の態様においては、本発明は、ハンドルと、ピボット運動可能なようにハンドルに取り付けられてニュートラル位置と回転位置の間で移動可能なレーザ・ヘッドとを有するレーザに存在する。レーザ・ヘッドは、皮膚接触面を有するシェービング補助ボディと、シェービング補助ボディに隣接するレーザ・カートリッジとを有し、このレーザ・カートリッジが剃り面を画定する。シェービング補助ボディの皮膚接触面は剃り面と同一平面関係に維持される。
【００１０】
本発明のシェービング器具の順応性は、レーザ・カートリッジ及びシェービング補助ボディの一方又は両方がハンドルに対してピボット運動しないシェービング器具と比較すると、レーザ・ブレードが剃られる面と接触した状態に留まりやすい。レーザ・カートリッジ及びシェービング補助ボディのハンドルへのピボット運動可能な接続が、セルフ・レベリング機能と結合して、レーザ・ブレードが多様な輪郭面上で皮膚の上に留まることを可能にする。
【図面の簡単な説明】
【００１１】
【図１】本発明のシェービング器具の１つの実施形態の側面図であり、シェービング補助ボディ及びレーザ・カートリッジはニュートラル位置にある。
【図２】図１のシェービング器具の側面図であり、シェービング補助ボディ及びレーザ・カートリッジは回転位置にある。
【図３】レーザ・カートリッジを囲むシェービング補助ボディの斜視図である。
【図４】本発明のセルフ・レベリング機構の分解斜視図である。
【図５】本発明のシェービング器具の差込み部品の平面図である。
【図６】本発明の差込み部品の側面図である。
【図７】本発明の差込み部品の正面図である
【図８】本発明の差込み部品の斜視図である。
【発明を実施するための形態】
【００１２】
図１及び図２を参照すると、本発明のシェービング器具の１つの例示的な実施形態が一般的に１０に示される。シェービング器具１０は、ハンドル１２と、ハンドルに作動可能なように取り付けられたシェービング補助ボディ１４と、ハンドルに作動可能なように接続し、シェービング補助ボディを貫通してシェービング補助ボディの上面１８に達するレーザ・カートリッジ１６と、を含む。シェービング補助ボディ１４及びレーザ・カートリッジ１６は、両方がハンドルに対して一体としてピボット運動可能なようにハンドル１２に取り付けられる。特に、シェービング補助ボディ１４及びレーザ・カートリッジはニュートラル位置（図１）から回転位置（図２）までピボット運動可能である。シェービング器具１０はまたセルフ・レベリング機構を含み、これがレーザ・カートリッジ１６をシェービング補助ボディ１４の上面１８に対して移動可能にする。
【００１３】
ハンドル１２は、ユーザーが握って操作できるような任意の適切な形及び大きさとする。一つの例示的なハンドルのタイプはＤｏｍｂｒｏｗｓｋｉ他による米国デザイン特許第５００，１６９号に示され説明されており、この特許はその全体が引用によりここに組み入れられる。しかしながら、本発明はこれに限定はされず、他のハンドルも本発明の範囲内にある。いずれの実施形態においても、ハンドル１２は人間工学的に又は類似的に輪郭を決めることが好ましい。
【００１４】
ここで図３を参照すると、レーザ・カートリッジ１６及びシェービング補助ボディ１４は差込み部品２８に取り付けられ、これがピボット運動可能なようにハンドルに取り付けられる。レーザ・カートリッジ１６は、セルフ・レベリング機構を介して作動可能なように差込み部品２８に接続され、内部に取り付けられた少なくとも１つのレーザ・ブレード２０を含み、各々のレーザ・ブレードは１つの刃２４を有する。レーザ・カートリッジ１６はまたレーザ・ブレード２０の前方に配置されたガード２２と、レーザ・ブレードの後方に配置されたキャップ２６とを含む。レーザ・ブレード２０は、その刃２４がシェービング補助ボディ１４の上面１８と実質的に同じ平面上にあるように、レーザ・カートリッジ１６内に取り付けられ、それにより剃り面３０（図１及び図２に示される）が画定される。本発明の目的のために、用語「剃り面」は、ガード２２の最上面からレーザ・ブレードの後方キャップ２６の最上面に至る接線方向に広がる理論上の平面を指す。
【００１５】
差込み部品２８と共に用いるシェービング補助ボディの１つの例示的なタイプはＣｏｆｆｉｎ他による米国特許出願第１０／３６７，１３３号に開示されており、この特許はその全体が引用によりここに組み入れられる。シェービング補助ボディ１４は、例えば手近な用途に適するように選ばれるシェービング補助物質の磨滅性固形物のような、任意の適切なタイプのものとすることができる。石鹸タイプのシェービング補助物質は、シェービング器具１０を用いることが可能なウェット・シェービングの用途に特に好適である。他のシェービング補助物質（例えば、平滑剤、抵抗減少剤、脱毛剤、洗浄剤、薬剤、感覚剤、皮膚刺激薬、等）を、石鹸タイプのシェービング補助物質と組み合せて使用することができる。しかしながら、本発明は磨滅性の石鹸タイプのシェービング補助物質に限定されず、石鹸又は他のシェービング補助物質を滲出させることができる非磨滅性の発泡材又は類似の多孔質物質のような他のタイプの物質は本発明の範囲内にある。
【００１６】
シェービング補助ボディ１４は、シェービング補助物質の少なくとも１部分がレーザ・カートリッジ１６に隣接するように、差込み部品２８に結合される。シェービング補助ボディ１４が磨滅性物質を備える実施形態においては、上面１８は通常の使用中に連続的に変化する。シェービング補助ボディ１４の上面１８と剃り面３０の間の一般的な同一平面関係を維持するために、セルフ・レベリング機構が差込み部品２８に取り付けられて、レーザ・カートリッジ１６がシェービング補助ボディ１４に対して移動することを可能にする。
【００１７】
ここで図４を参照すると、セルフ・レベリング機構の１つの例示的なタイプが４０に示される。セルフ・レベリング機構４０は、はさみ動作を用いて作動する協同連動装置である。２つの協同する連動部材が組み立てられてハンドル内に配置され、通常のシェービング中に、剃り面と上面が同一平面上に留まるように、レーザ・カートリッジがシェービング補助ボディの上面に対して移動することを可能にする。協同連動装置は、内部を軸４８が貫通するピボット取り付け箇所４６において、第２連動部材４４にピボット運動可能なように取り付けられた第１連動部材４２を含む。第１連動部材４２の一方の端は、少なくとも１つの第１の差込み部品接続ピン５０を介して差込み部品にピボット運動可能なように接続し、第１連動部材のもう一方の端は第１のカートリッジ接続ピン５２を介してレーザ・カートリッジにピボット運動可能なように接続する。また、第２連動部材４４の一方の端は、少なくとも１つの第２の差込み部品接続ピン５４を介して差込み部品にピボット運動可能なように接続し、第２連動部材のもう一方の端は第２のカートリッジ接続ピン５６を介してレーザ・カートリッジにピボット運動可能なように接続する。ピボット取り付け箇所４６の周りのはさみ動作により、レーザ・カートリッジ及びシェービング補助ボディが互いに対して移動することが可能となり、そしてハンドルに対して移動することが可能となる。より詳細には、レーザ・カートリッジ及びシェービング補助ボディが、第１連動部材４２と第２連動部材４４にピボット取り付け箇所４６の両側で取り付けられるので、レーザ・カートリッジと差込み部品／シェービング補助ボディがピボット取り付け箇所の周りで「シーソー運動」することができる。しかしながら、本発明はここに開示された協力連動のタイプには限定されず、他のタイプの機構も同等又は同様の効果を生むために利用することができる。レーザ・カートリッジの剃り面がシェービング補助ボディの上面と一致することを可能にする少なくとも１つの他のタイプの協力機構がＰｅｎｎｅｌｌａ他による米国特許第１０／３６７，２５５号に開示されており、この特許はその全体が引用によりここに組み入れられる。
【００１８】
別の例示的な実施形態においては、レーザ・カートリッジ１６は、通常の使用中にレーザ・カートリッジとシェービング補助ボディが互いに隣接した状態にとどまることを保証するように、差込み部品２８に滑動的に結合されるレーザ・カートリッジ支持具の上に取り付けることができる。レーザ・カートリッジ支持具を加えることはまた、レーザ・カートリッジとシェービング補助ボディが互いに結合することを可能にし、さらにそれらをシェービング器具の交換用単一ユニットとしてパッケージして販売することを可能にする。さらに別の例示的な実施形態においては、レーザ・カートリッジは、例えば、レーザ・カートリッジを差込み部品２８に直接に滑動的にはめ込むことを可能にする構造部を含むことができる。そのような実施形態はレーザ・カートリッジ支持具を必要としない。
【００１９】
ここで図５−図８を参照すると、差込み部品２８はベース５８、並びに、シェービング補助ボディ及びレーザ・カートリッジをハンドルに対してピボット運動可能にするタブ６０又は類似物を含む。ベース５８はレーザ・カートリッジを内部に収容する大きさに作られる開口部６２を含み、その結果、使用中にレーザ・カートリッジが完全にシェービング補助ボディで取り囲まれることが可能となる。ベース５８は任意の適切な形（例えば、一般に楕円形）にすることができる。取付けピン５９はベース５８から延びてハンドル内におけるベースの位置決めを容易にする。アンカー・タブ６１はベース５８と一体化して形成されてシェービング補助物質のアンカー面を与える。差込み部品２８全体は当業者に公知の任意の適切な材料で作ることができるが、ポリプロピレン及びＡＢＳのようなプラスチックが特に有用であることが立証されている。
【００２０】
詳細に図６−図８を参照すると、タブ６０により、ハンドルに対する差込み部品２８（並びに、作動可能なように接続されたレーザ・カートリッジ及び取り付けられたシェービング補助ボディ）のピボット運動がニュートラル位置（図１）と回転位置（図２）の間で可能になる。さらに、タブ６０は、ひとたびレーザ・カートリッジ及びシェービング補助ボディに働く力がなくなると、レーザ・カートリッジ及びシェービング補助ボディをニュートラル位置に戻すように作動可能である。
【００２１】
タブ６０はハンドル上にある突起部分を収容する開口部６４を含む。開口部６４及びタブ６０は、ハンドル上にある突起部分、従って、ハンドルに対する差込み部品２８の制限されたピボット運動（即ち、ニュートラル及び回転位置の間）を可能にする形及び寸法にされる。図示されるように、開口部６４は形は長方形であり、ハンドル上にある対応する長方形の突起部分を収容する。しかしながら、本発明はこれに限定されず、他のタイプの接続部も本発明の範囲内にある。例えば、円筒形の突起部分を収容する円形の開口部も可能である。タブ６０は、ハンドル上のオス型コネクタに結合するように構成されたメス型コネクタ（例えば、開口部６４）を有するように図示されているが、代りに、タブ６０は、ハンドル上のメス型収容部に結合するオス型突起を有することができる。
【００２２】
示された実施形態において、差込み部品２８は、図５−図７に示されるように、開口部６４を貫通して延びるピボット軸６６の回りでピボット運動する。示された実施形態において、開口部６４及びピボット軸６６はシェービング面の下方に位置し、ピボット軸６６は一般にレーザ・カートリッジの真下に伸びている。しかしながら、ピボット軸６６及び／又はタブ６０は、シェービング補助ボディ及びレーザ・カートリッジの所望のピボット運動のタイプに応じて、レーザ・カートリッジに対して任意の適切な位置に配置することができる。
【００２３】
図６−図８を参照すると、付勢部材６８は、それが撓んだとき、差込み部品にニュートラル位置への戻りを促すように、差込み部品２８の上に作動可能に配置することができる。付勢部材６８はカンチレバー型スプリング７０とすることができる。好ましい実施形態においては、付勢部材６８は２つのカンチレバー型スプリング７０を含み、その両方が、差込み部品２８（従って、シェービング補助ボディ及びレーザ・カートリッジ）が回転位置に向ってピボット運動するときに撓む。次ぎに、カンチレバー型スプリング７０は、撓むとき、差込み部品２８にニュートラル位置に向かうように促す。これらの実施形態においては、付勢部材６８（より具体的には、カンチレバー型スプリング７０）は差込み部品２８がその回りでピボット運動する軸６６の後方に配置することができる。付勢部材６８は開口部６４の後方にあることが好ましい。
【００２４】
完全回転位置（図２に示される）は一般に、シェービング補助ボディ及びレーザ・カートリッジがニュートラル位置の後方へ約１０度回転するときに関与する。しかしながら、回転位置はそれほど限定的に考える必要はない。例えば、完全回転位置は、本発明の範囲を逸脱することなく、ニュートラル位置の後方１０度より大きな又はそれ未満の位置とすることができる。
【００２５】
図１及び図２を再び参照すると、レーザ・カートリッジ１６及びシェービング補助ボディ１４は、使用中、剃られる面に接触させられる。レーザ・カートリッジ１６及びシェービング補助ボディ１４が面に沿って移動するとき、シェービング補助ボディは剃られる面に当てられ、同時に不要の毛がレーザ・カートリッジ１６により除去される。シェービング補助ボディ１４が磨滅する際に、セルフ・レベリング手段が、シェービング補助ボディ１４の上面１８とレーザ・カートリッジ１６の剃り面３０との間の実質的な同一平面関係を維持する。シェービング中によく起るように、シェービング器具１０は、こぶ又は凹凸のような、外力に出会うことがある。レーザ・カートリッジ１６及び／又はシェービング補助ボディ１４がその様な外力に出会うとき、シェービング補助ボディ及びレーザ・カートリッジは一緒に、ニュートラル位置と回転位置の間でハンドル１２に対してピボット運動する。ピボット動作は、シェービング補助ボディ１４及びレーザ・カートリッジ１６の、剃られる面との平坦な接触を維持する。一旦外力がシェービング器具１０に加わらなくなると、付勢部材がシェービング補助ボディ１４及びレーザ・カートリッジ１６に、ニュートラル位置に戻るように促す。
【００２６】
本発明は、その詳細な実施形態に関して図示し説明してきたが、本発明の範囲から逸脱することなく、多様な変更を施すことができ、またその要素を等価物で置き換えることができることを、当業者は理解するであろう。さらに、本発明の本質的な範囲を逸脱することなく、本発明の教示に対して、特定の状況又は材料に適合するように修正を施すことができる。それゆえ、本発明は上記の詳細な説明において開示された特定の実施形態に限定されず、本発明は添付の特許請求の範囲に入る全ての実施形態を含むことが意図されている。
【符号の説明】
【００２７】
１０  シェービング器具
１２  ハンドル
１４  シェービング補助ボディ
１６  レーザ・カートリッジ
１８  上面
２０  レーザ・ブレード
２２  ガード
２４  刃
２６  キャップ
２８  差込み部品
３０  剃り面
４０  セルフ・レベリング機構
４２  第１連動部材
４４  第２連動部材
４６  ピボット取り付け箇所
４８  軸
５０  第１の差込み部品接続ピン
５２  第１のカートリッジ接続ピン
５４  第２の差込み部品接続ピン
５６  第２のカートリッジ接続ピン
５８  ベース
５９  取付けピン
６０  タブ
６２、６４  開口部
６６  ピボット軸
６８  付勢部材
７０  カンチレバー型スプリング
【図１】
0005438816.tif 000002
【図２】
0005438816.tif 000003
【図３】
0005438816.tif 000004
【図４】
0005438816.tif 000005
【図５】
0005438816.tif 000006
【図６】
0005438816.tif 000007
【図７】
0005438816.tif 000008
【図８】
0005438816.tif 000009